(57)【特許請求の範囲】
【請求項１】
放送番組を受信する受信装置と、
前記受信装置を制御するためのリモートコントローラから構成された番組選択システムにおいて、
前記受信装置は、
過去の受信履歴を記憶する記憶手段と、
画面の水平方向の軸と垂直方向の軸のうちの一方の軸の方向に各曜日を示す表示から成る曜日軸を表示させ、他方の軸の方向に時間軸を表示させるとともに、前記記憶手段に記憶された前記受信履歴に対応する番組の情報を、前記時間軸に沿って表示させる表示制御手段とを備え、
前記リモートコントローラは、
前記曜日軸上において曜日を選択する曜日選択手段と、
前記時間軸に沿って表示された番組の情報を選択する番組選択手段と、
選択された番組の情報を確定する番組確定手段とを備え、
前記表示制御手段は、前記曜日選択手段によって選択された曜日についてのみ、番組の情報を時間軸に沿って表示させる
ことを特徴とする番組選択システム。
【請求項２】
前記曜日選択手段、番組選択手段および番組確定手段は、１本の指で操作可能である
ことを特徴とする請求項１に記載の番組選択システム。
【請求項３】
前記表示制御手段は、前記曜日軸を、上から下の方向に垂直に表示させ、前記番組の情報を、左から右の方向に、水平に表示させる
ことを特徴とする請求項１に記載の番組選択システム。
【請求項４】
前記表示制御手段は、前記曜日または番組の情報を指定するカーソルをさらに表示させ、前記曜日選択手段が操作されたとき、前記表示制御手段は前記カーソルが指定する曜日に対応する番組の情報を時間軸に沿って表示させるとともに、前記番組選択手段が操作されたとき、前記時間軸に沿って表示された番組の情報の中から前記カーソルが指定する番組の情報が選択される
ことを特徴とする請求項１に記載の番組選択システム。
【請求項５】
前記表示制御手段は、前記曜日選択手段が操作されたとき、前記曜日を指定する前記カーソルの表示位置を固定したまま、前記画面の水平方向の軸と垂直方向の軸のうちの一方の軸の方向に沿った曜日軸の表示をスクロールさせることにより、前記カーソルを前記曜日軸上において相対的に移動させる
ことを特徴とする請求項４に記載の番組選択システム。
【請求項６】
前記表示制御手段は、前記曜日選択手段が操作されたとき、前記曜日を指定する前記カーソルを、前記画面の水平方向の軸と垂直方向の軸のうちの一方の軸の方向に表示された曜日軸上を移動させる
ことを特徴とする請求項４に記載の番組選択システム。
【請求項７】
前記表示制御手段は、前記曜日選択手段が操作されたとき、前記画面の水平方向の軸と垂直方向の軸のうちの他方の軸の方向に沿って表示される番組の情報の表示位置を、前記曜日を指定する前記カーソルの移動に対応して移動させる
ことを特徴とする請求項６に記載の番組選択システム。
【請求項８】
前記表示制御手段は、前記カーソルが所定の番組に対応して表示されている状態において、前記曜日選択手段が操作されたとき、前記カーソルに対応する位置の番組を、次の頻度の番組に変更させる
ことを特徴とする請求項４に記載の番組選択システム。
【請求項９】
前記表示制御手段は、前記番組の情報として、前記番組を放送している放送局名を表示させる
ことを特徴とする請求項１に記載の番組選択システム。
【請求項１０】
前記表示制御手段は、前記番組の情報として、前記番組の名称を表示させる
ことを特徴とする請求項１に記載の番組選択システム。
【請求項１１】
前記表示制御手段は、前記曜日軸と平行に、選択した前記番組を録画する機器の候補のリストをさらに表示させる
ことを特徴とする請求項１に記載の番組選択システム。
【請求項１２】
前記番組を録画する機器の候補のリストは、録画を行わず、単に選択した番組を見るだけの場合に選択する候補を含む
ことを特徴とする請求項１１に記載の番組選択システム。
【請求項１３】
前記記憶手段は、予め設定した所定の時間以上継続して受信された番組だけを受信履歴として記憶する
ことを特徴とする請求項１に記載の番組選択システム。
【請求項１４】
曜日を選択する曜日選択手段と、
時間軸に沿って表示された番組の情報を選択する番組選択手段と、
選択された番組の情報を確定する番組確定手段とを備えるリモートコントローラからの制御に従って放送番組を受信する受信装置において、
過去の受信履歴を記憶する記憶手段と、
画面の水平方向の軸と垂直方向の軸のうちの一方の軸の方向に各曜日を示す文字列からなる曜日軸を表示させ、他方の軸の方向に時間軸を表示させるとともに、前記記憶手段に記憶された前記受信履歴に対応する番組の情報を、前記時間軸に沿って表示させる表示制御手段とを備え、
前記表示制御手段は、前記曜日選択手段によって選択された曜日についてのみ、番組の情報を時間軸に沿って表示させる
ことを特徴とする受信装置。
【請求項１５】
前記表示制御手段は、前記曜日軸を、上から下の方向に垂直に表示させ、前記番組の情報を、左から右の方向に、水平に表示させる
ことを特徴とする請求項１４に記載の受信装置。
【請求項１６】
前記表示制御手段は、前記曜日または番組の情報を指定するカーソルをさらに表示させ、
前記曜日選択手段が操作されたとき、前記表示制御手段は前記カーソルが指定する曜日に対応する番組の情報を時間軸に沿って表示させるとともに、前記番組選択手段が操作されたとき、前記時間軸に沿って表示された番組の情報の中から前記カーソルが指定する番組の情報が選択される
ことを特徴とする請求項１４に記載の受信装置。
【請求項１７】
前記表示制御手段は、前記曜日選択手段が操作されたとき、前記曜日を指定する前記カーソルの表示位置を固定したまま、前記画面の水平方向の軸と垂直方向の軸のうちの一方の軸の方向に沿った曜日の表示をスクロールさせることにより、前記カーソルを前記曜日軸上において相対的に移動させる
ことを特徴とする請求項１６に記載の受信装置。
【請求項１８】
前記表示制御手段は、前記曜日選択手段が操作されたとき、前記曜日を指定する前記カーソルを、前記画面の水平方向の軸と垂直方向の軸のうちの一方の軸の方向に表示された曜日軸上を移動させる
ことを特徴とする請求項１４に記載の受信装置。
【請求項１９】
前記表示制御手段は、前記曜日選択手段が操作されたとき、前記画面の水平方向の軸と垂直方向の軸のうちの他方の軸の方向に沿って表示される番組の情報の表示位置を、前記曜日を指定する前記カーソルの移動に対応して移動させる
ことを特徴とする請求項１８に記載の受信装置。
【請求項２０】
前記表示制御手段は、前記カーソルが所定の番組に対応して表示されている状態において、前記曜日選択手段が操作されたとき、前記カーソルに対応する位置の番組を、次の頻度の番組に変更させる
ことを特徴とする請求項１４に記載の受信装置。
【請求項２１】
前記表示制御手段は、前記番組の情報として、前記番組を放送している放送局名を表示させる
ことを特徴とする請求項１５に記載の受信装置。
【請求項２２】
前記表示制御手段は、前記番組の情報として、前記番組の名称を表示させる
ことを特徴とする請求項１５に記載の受信装置。
【請求項２３】
前記表示制御手段は、前記曜日軸と平行に、選択した前記番組を録画する機器の候補のリストをさらに表示させる
ことを特徴とする請求項１５に記載の受信装置。
【請求項２４】
前記番組を録画する機器の候補のリストは、録画を行わず、単に選択した番組を見るだけの場合に選択する候補を含む
ことを特徴とする請求項２３に記載の受信装置。
【請求項２５】
前記記憶手段は、予め設定した所定の時間以上継続して受信された番組だけを受信履歴として記憶する
ことを特徴とする請求項１５に記載の受信装置。
【請求項２６】
曜日を選択する曜日選択手段と、
時間軸に沿って表示された番組の情報を選択する番組選択手段と、
選択された番組の情報を確定する番組確定手段とを備えるリモートコントローラからの制御に従って放送番組を受信する受信装置の番組選択画面表示方法において、
過去の受信履歴を記憶する記憶ステップと、
画面の水平方向の軸と垂直方向の軸のうちの一方の軸の方向に各曜日を示す文字列からなる曜日軸を表示させ、他方の軸の方向に時間軸を表示させるとともに、前記記憶ステップの処理で記憶された前記受信履歴に対応する番組の情報を、前記時間軸に沿って表示させる表示制御ステップとを含み、
前記表示制御ステップは、前記曜日選択手段によって選択された曜日についてのみ、番組の情報を時間軸に沿って表示させる
ことを特徴とする番組選択画面表示方法。
【発明の詳細な説明】
【０００１】
【産業上の利用分野】
本発明は、例えば、放送衛星を介して伝送される信号を受信するテレビジョン受像機に用いて好適な番組選択システム、受信装置、および番組選択画面表示方法に関する。
【０００２】
【従来の技術】
テレビジョン受像機においては、放送チャンネルに対応する数字を基にして、所定の放送チャンネルを選択し、その放送チャンネルで放送している番組を視聴することができるようになされている。
【０００３】
また、所定の日付あるいは曜日、時刻、並びに放送チャンネルを指定することで、所望の番組を予約し、その時刻が到来したとき、その番組を視聴することができるようになされているテレビジョン受像機もある。
【０００４】
さらに、ビデオチューナを内蔵するビデオテープレコーダにおいては、やはり、所定の日時または曜日、時刻、並びに放送チャンネルを指定することで、所定の番組を所謂予約録画することができるようになされている。
【０００５】
しかしながら、このような従来の装置においては、所望の番組を選択するのに、日付あるいは曜日、時刻、放送チャンネルなどを、その都度選択指定しなければならず、操作性が悪く、比較的よく見る番組を、迅速かつ確実に選択、指定することが困難である。
【０００６】
そこで、本出願人は、例えば、特開平４−６８６２０号として、例えば、過去１週間分の選局データを学習し、これを記憶しておき、電源オン時に、その選局データを読みだし、読みだした選局データに対応して、所定の放送チャンネルを自動的に受信するようにすることを先に提案した。
【０００７】
【発明が解決しようとする課題】
しかしながら、このような先に提案した装置においては、過去に最も多く受信していた頻度の高い放送チャンネルが自動的に受信されるが、常にその放送チャンネルを受信するわけではないので、過去に最も多く受信していた放送チャンネルとは異なる放送チャンネルを選局するような場合、かえって操作が面倒になる課題があった。
【０００８】
一方、近年、米国において、ＭＰＥＧ（Ｍｏｖｉｎｇ  Ｐｉｃｔｕｒｅ  Ｅｘｐｅｎｔｓ  Ｇｒｏｕｐ）等の高能率符号化技術を応用して、ケーブルテレビジョン（ＣＡＴＶ：Ｃａｂｌｅ  Ｔｅｌｅｖｉｓｉｏｎ）やディジタル衛星放送（ＤＳＳ：Ｄｉｇｉｔａｌ  Ｓａｔｅｌｌｉｔｅ  Ｓｙｓｔｅｍ（Ｈｕｇｈｅｓ  Ｃｏｍｍｕｎｉｃａｔｉｏｎｓ社の商標））等において、放送の多チャンネル化が進行している。この多チャンネル化に伴って、例えばチャンネル数は１５０〜１７５にもなり、これらの中から所望の番組を選択する操作も煩雑となり、操作性を簡単にすべく解決が望まれていた。
【０００９】
本発明はこのような状況に鑑みてなされたものであり、比較的よく見る番組の中から所望の番組を、迅速かつ確実に、選択、指定することができるようにするものである。
【００１０】
【課題を解決するための手段】
本発明の番組選択システムは、受信装置が、過去の受信履歴を記憶する記憶手段（例えば図３のＥＥＰＲＯＭ３８）と、画面の水平方向の軸と垂直方向の軸のうちの一方の軸の方向に各曜日を示す文字列からなる曜日軸を表示させ、他方の軸の方向に時間軸を表示させるとともに、記憶手段に記憶された受信履歴に対応する番組の情報を、時間軸に沿って表示させる表示制御手段（例えば図３のＣＰＵ２９）とを備え、リモートコントローラが、曜日軸上において曜日を選択する曜日選択手段（例えば図４のアップ操作またはダウン操作される操作子５２）と、時間軸に沿って表示された番組の情報を選択する番組選択手段（例えば図４のレフト操作またはライト操作される操作子５２）と、選択された番組を確定する番組確定手段（例えば図４のエンター操作される操作子５２）とを備え、表示制御手段は、曜日選択手段によって選択された曜日についてのみ、番組の情報を時間軸に沿って表示させることを特徴とする。
【００１１】
表示制御手段には、番組を、選択された曜日についてのみ表示させたり（例えば図１９の表示）、曜日を、選択されたもののみ表示させる（例えば図３２の表示）ようにすることができる。
【００１２】
また、前記曜日選択手段、番組選択手段および番組確定手段は、１本の指で操作可能なもの（例えば図４の操作子５２）とすることができる。
【００１３】
表示制御手段には、曜日を、上から下の方向に垂直に表示させ、番組を、左から右の方向に、水平に表示させる（例えば図１９の表示）ことができる。
【００１４】
表示制御手段には、番組を指定するカーソル（例えば図１９のカーソルＡ）をさらに表示させ、曜日選択手段が操作されたとき、カーソルに対応する位置の曜日を他の曜日に変更させ（例えば図１９乃至図２１の表示）、番組選択手段が操作されたとき、カーソルを左右方向に移動して、所定の番組に対応する位置に移動させる（例えば図２３乃至図２７の表示）ことができる。
【００１５】
表示制御手段には、カーソルが所定の番組に対応して表示されている状態（例えば図２４の表示）において、曜日選択手段が操作（例えば図４の操作子５２のアップ操作またはダウン操作）されたとき、カーソルに対応する位置の番組を、次の頻度の番組に変更させる（例えば図２８と図２９の表示）ことができる。
【００１６】
また、番組は、番組を放送している放送局名（例えば図１９の表示）、または、番組の名称（例えば図３３に表示）で表示させるようにすることができる。
【００１７】
さらに、表示制御手段には、曜日と平行に、選択した番組を録画する機器の候補のリストをさらに表示させる（例えば図３０の表示）ようにすることができる。
【００１８】
この場合、番組を録画する機器の候補のリストには、録画を行わず、単に選択した番組を見るだけの場合に選択する候補（例えば図３０のＷＡＴＣＨ）を含めるようにすることができる。
本発明の受信装置は、過去の受信履歴を記憶する記憶手段と、画面の水平方向の軸と垂直方向の軸のうちの一方の軸の方向に各曜日を示す表示から成る曜日軸を表示させ、他方の軸の方向に時間軸を表示させるとともに、記憶手段に記憶された受信履歴に対応する番組の情報を、時間軸に沿って表示させる表示制御手段とを備え、表示制御手段は、曜日選択手段によって選択された曜日についてのみ、番組の情報を時間軸に沿って表示させることを特徴とする。
本発明の番組選択画面表示方法は、過去の受信履歴を記憶する記憶ステップと、画面の水平方向の軸と垂直方向の軸のうちの一方の軸の方向に各曜日を示す表示から成る曜日軸を表示させ、他方の軸の方向に時間軸を表示させるとともに、記憶ステップの処理で記憶された受信履歴に対応する番組の情報を、時間軸に沿って表示させる表示制御ステップとを含み、表示制御ステップは、曜日選択手段によって選択された曜日についてのみ、番組の情報を時間軸に沿って表示させることを特徴とする。
【００１９】
【作用】
本発明においては、過去に受信した番組に関する履歴がＥＥＰＲＯＭ３８に記憶される。そして、この履歴に対応して、モニタ装置に番組が表示される。したがって、迅速かつ確実に、比較的良く見る番組の中から、所望の番組を選択指定することが可能となる。
【００２０】
【実施例】
図１は、本発明の番組選択システムを応用したＡＶ（Ａｕｄｉｏ  Ｖｉｄｅｏ）システムの構成例を示している。この実施例の場合、ＡＶシステム１は、パラボラアンテナ３で図示せぬ放送衛星を介して受信した信号を復調するＩＲＤ（Ｉｎｔｅｇｒａｔｅｄ  Ｒｅｃｅｉｖｅｒ／Ｄｅｃｏｄｅｒ）２の他、ＶＨＳ方式のＶＣＲ（Ｖｉｄｅｏ  Ｃａｓｓｅｔｔｅ  Ｒｅｃｏｒｄｅｒ）６、８ｍｍ方式のＶＣＲ７、マルチディスクプレーヤ（ＭＤＰ：Ｍｕｔｉ−Ｄｉｓｃ  Ｐｌａｙｅｒ）８、ミニディスク（ＭＤ：Ｍｉｎｉ  Ｄｉｓｃ）装置９、モニタ装置４により構成されている。
【００２１】
ＶＣＲ６，ＶＣＲ７，ＭＤＰ８およびＭＤ装置９は、それぞれＡＶライン１１によりモニタ装置４と接続されている。また、ＩＲＤ２は、ＶＣＲ６にＡＶライン１１により接続されている。さらに、これらの各装置は、コントロールライン１２により、順次シリーズに接続されている。
【００２２】
ＩＲＤ２に対しては、リモートコマンダ５により赤外線（ＩＲ：Ｉｎｆｒａｒｅｄ）信号により指令を入力することができるようになされている。即ち、リモートコマンダ５のボタンスイッチ５０の所定のものを操作すると、それに対応する赤外線信号がＩＲ発信部５１から出射され、ＩＲＤ２のＩＲ受信部３９に入射されるようになされている。
【００２３】
尚、このＩＲＤ２には、各種の操作ボタンスイッチを有するフロントパネル４０が設けられており、リモートコマンダ５を操作することにより発せられる指令と同一の指令を直接入力することができるようになされている。
【００２４】
図２は、図１のＡＶシステム１の電気的接続状態を表している。パラボラアンテナ３は、ＬＮＢ（Ｌｏｗ  Ｎｏｉｓｅ  Ｂｌｏｃｋ  ｄｏｗｎｃｏｎｖｅｒｔｅｒ）３ａを有し、放送衛星からの信号を所定の周波数の信号に変換し、ＩＲＤ２に供給している。ＩＲＤ２は、その出力を、３本の線により構成されるＡＶライン１１を介してＶＣＲ６に供給している。ＶＣＲ６の出力は、３本の線により構成されるＡＶライン１１によりモニタ装置４に供給されている。また、ＶＣＲ７、ＭＤＰ８およびＭＤプレーヤ９は、モニタ装置４に対して、６本、３本または４本のＡＶライン１１によりそれぞれ接続されている。
【００２５】
さらに、ＩＲＤ２、ＶＣＲ６、ＶＣＲ７、ＭＤＰ８、ＭＤ装置９、およびモニタ装置４は、ＡＶ機器制御信号送受信部２Ａ，６Ａ，７Ａ，８Ａ，９Ａ，４Ａを、それぞれ有している。これらは、ワイヤードＳＩＲＣＳ（Ｗｉｒｅｄ  Ｓｏｎｙ  Ｉｎｆｒａｒｅｄ  Ｒｅｍｏｔｅ  Ｃｏｎｔｒｏｌ  Ｓｙｓｔｅｍ）よりなるコントロールライン１２により、シリーズに順次接続されている。
【００２６】
図３は、前述したＤＳＳを受信するためのＩＲＤ２の内部の構成例を示している。パラボラアンテナ３のＬＮＢ３ａより出力されたＲＦ信号は、フロントエンド２０のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、誤りが検出、訂正され、必要に応じて補正される。
【００２７】
ＣＰＵ、ＲＯＭおよびＲＡＭ等からなるＩＣカードにより構成されているＣＡＭ（Ｃｏｎｄｉｔｉｏｎａｌ  Ａｃｃｅｓｓ  Ｍｏｄｕｌｅ）３３には、暗号を解読するのに必要なキーが、解読プログラムとともに格納されている。放送衛星を介して送信される信号は暗号化されているため、この暗号を解読するにはキーと解読処理が必要となる。そこで、カードリーダインタフェース３２を介してＣＡＭ３３からこのキーが読み出され、デマルチプレクサ２４に供給される。デマルチプレクサ２４は、このキーを利用して、暗号化された信号を解読する。
【００２８】
尚、このＣＡＭ３３には、暗号解読に必要なキーと解読プログラムの他、課金情報なども格納されている。
【００２９】
デマルチプレクサ２４は、フロントエンド２０のエラー訂正回路２３の出力する信号の入力を受け、解読したビデオ信号をＭＰＥＧビデオデコーダ２５に供給し、解読したオーディオ信号をＭＰＥＧオーディオデコーダ２６に供給する。
【００３０】
ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。デコードされたビデオ信号は、ＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８Ｖを介して出力される。
【００３１】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１Ｌを介して出力され、右チャンネルのオーディオ信号は、バッファアンプ３１Ｒを介して出力される。
【００３２】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、他のＡＶ機器から入力されるＮＴＳＣ方式のＲＦ信号をスルーして、他のＡＶ機器にそのまま出力する。
【００３３】
この実施例の場合、これらのビデオ信号およびオーディオ信号が、ＡＶライン１１を介してＶＣＲ６に供給されることになる。
【００３４】
ＣＰＵ（Ｃｅｎｔｒａｌ  Ｐｒｏｃｅｓｓｏｒ  Ｕｎｉｔ）２９は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン１２を介して、他のＡＶ機器に所定のコントロール信号を出力し、また、他のＡＶ機器からのコントロール信号を受信する。
【００３５】
このＣＰＵ２９に対しては、フロントパネル４０の操作ボタンスイッチ（図示せず）を操作して、所定の指令を直接入力することができる。また、リモートコマンダ５を操作すると、ＩＲ発信部５１より赤外線信号が出力され、この赤外線信号がＩＲ受信部３９により受光され、受光結果がＣＰＵ２９に供給される。従って、リモートコマンダ５を操作することによっても、ＣＰＵ２９に所定の指令を入力することができる。
【００３６】
また、ＣＰＵ２９は、デマルチプレクサ２４が出力するビデオ信号とオーディオ信号以外の信号、例えばＥＰＧ（Ｅｌｅｃｔｒｉｃａｌ  Ｐｒｏｇｒａｍ  Ｇｕｉｄｅ）情報などを取り込み、これからＥＰＧデータを作成して、ＳＲＡＭ（Ｓｔａｔｉｃ Ｒａｄｏｍ  Ａｃｃｅｓｓ  Ｍｅｍｏｒｙ）３６に供給し、記憶させる。ＥＰＧ情報は現在時刻から数十時間後までの各放送チャンネルの番組に関する情報（例えば、番組のチャンネル、放送時間、タイトル、カテゴリ等）を含んでいる。このＥＰＧ情報は、頻繁に伝送されてくるため、ＳＲＡＭ３６には常に最新のＥＰＧを保持することができる。
【００３７】
ＥＥＰＲＯＭ（Ｅｌｅｃｔｒｉｃａｌｌｙ  Ｅｒａｓａｂｌｅ  Ｐｒｏｇｒａｍａｂｌｅ  Ｒｅａｄ  Ｏｎｌｙ  Ｍｅｍｏｒｙ）３８には、電源オフ後も保持しておきたいデータ（例えばチューナ２１の４週間分の受信履歴）などが適宜記憶される。また、ＣＰＵ２９は、カレンダタイマ３５が出力する時刻情報と、デマルチプレクサ２４が受信信号から分離、出力するタイムスタンプとを比較し、その比較結果に対応して、正しいタイミングでデコード処理ができるように、ＭＰＥＧビデオデコーダ２５やＭＰＥＧオーディオデコーダ２６を制御する。
【００３８】
さらに、ＣＰＵ２９は、所定のＯＳＤ（Ｏｎ−Ｓｃｒｅｅｎ  Ｄｉｓｐｌａｙ）データを発生したいとき、ＭＰＥＧビデオデコーダ２５を制御する。ＭＰＥＧビデオデコーダ２５は、この制御に対応して所定のＯＳＤデータを生成して、ＤＲＡＭ２５ａに書き込み、さらに読み出して、出力する。これにより、所定の文字、図形などを適宜モニタ装置４に出力し、表示させることができる。
【００３９】
図４は、リモートコマンダ５のボタンスイッチ５０のより詳細な構成例を示している。同図に示すように、リモートコマンダ５は、その上部にＩＲ発信部５１を備えるとともに、その下方に操作子５２を備えている。この操作子５２は、上下左右方向の他、斜めの上下左右方向の合計８つの方向のうち、いずれか１つの方向に操作することができるようになされている。また、この操作子５２は、紙面と垂直な方向に押圧し、エンター（ＥＮＴＥＲ）ボタンスイッチとして機能させることができるようになされている。即ち、この操作子５２は、１つの指で方向を選択し、そのまま指を離さずに、１つの指でさらにエンター入力を行うことができるようになされている。
【００４０】
この操作子５２の右下方には、メニューボタンスイッチ５３が配置されている。このメニューボタンスイッチ５３は、モニタ装置４にメニュー画面を表示させるとき操作される。メニューボタンスイッチ５３の左側には、処理を戻すとき操作されるエスケープ（ＥＳＣ）ボタンスイッチ５４が配置されている。
【００４１】
以下、説明を省略するが、ボタンスイッチ５０として、その他、各種の操作ボタンスイッチが設けられている。
【００４２】
図５乃至図９は、操作子５２の操作を検出するための構成例を表している。この図５に示す小型スティックコントローラが、リモートコマンダ５の内部であって、操作子５２の下方に配置されている。即ち、スティック６１が、柔軟性を有する樹脂などにより形成されている操作子５２と一体的に結合されている。従って、操作子５２を操作すると、その操作方向に対応して、スティック６１が、図５において、矢印ａで示す８つの方向のうちのいずれか１つの方向に移動するか、または、矢印ｂで示すように、垂直方向に移動するようになされている。
【００４３】
スティック６１の下方には、ピン１０５が垂直に植設されており、このピン１０５の端部は、外体１０１のガイド板１０３に形成されている孔１０４に挿通され、ガイドされるようになされている。この外体１０１には、Ｙ軸方向を指向するガイド板１０３に一体的に結合されて、Ｘ軸方向を指向する側板１０２が形成されている。そして、この側板１０２には、Ｘ軸方向に伸長するシャフト６２が植設されている。
【００４４】
一方、外体１０１の内側に、内体１１１が配置されるように、内体１１１の底板１１４に形成された孔１１４Ａに、スティック６１が挿通されている。この孔１１４Ａは、図９に示すように、Ｙ軸方向に長い孔となっている。そして、この内体１１１の底板１１４には、Ｘ軸方向に対向するように、側板１１２が形成され、Ｙ軸方向には、相互に対向するように、側板１１２に比べて高さが低い結合板１１３が形成されている。そして、この結合板１１３には、Ｙ軸方向に伸長するシャフト６３が植設されている。外体１０１のガイド板１０３に形成されている孔１０４は、このシャフト６３を中心とする円弧上に形成されている。
【００４５】
図６乃至図９に示すような小型スティックコントローラが、図５に示すように、ボックス１１６の内側に配置されており、シャフト６２と６３は、それぞれボックス１１６に形成した孔１１８と１１９から外側に延びるようになされている。孔１１９は、シャフト６３の径とほぼ等しいか、それより若干大きい径とされているのに対し、孔１１８は、Ｚ軸方向に長い孔となっている。そして、このボックス１１６の外側には、シャフト６２の一方の端部に結合するように、可変抵抗器６４が配置され、他方の端部の下方には、押しボタン型のスイッチ６６が配置されている。また、ボックス１１６のＹ軸方向の外側には、可変抵抗器６５が配置され、シャフト６３と結合されている。
【００４６】
スティック６１をＸ軸を中心として回動すると、ピン１０５を介してガイド板１０３と結合されている外体１０１が、シャフト６２（Ｘ軸）を中心として回動する。このとき、内体１１１の底板１１４には、Ｙ軸方向に長い孔１１４Ａが形成されているため、内体１１１は、静止したままの状態となっている。
【００４７】
これに対して、スティック６１をＹ軸を中心として回動すると、底板１１４に形成されている孔１１４Ａは、Ｘ軸方向にはスティック６１とほぼ同一の径に形成されているため、スティック６１の回動とともに、内体１１１がシャフト６３（Ｙ軸）を中心として回動する。このとき、ピン１０５が、シャフト６３を中心とする円弧上に形成されている孔１０４によりガイドされる。また、このとき、内体１１１の側板１１２は、外体１０１の側板１０２との間に充分な距離を有しているため、側板１０２に当接することはない。従って、外体１０１は静止したままの状態となっている。
【００４８】
スティック６１をＸ軸とＹ軸の間の方向に操作すると、内体１１１がＹ軸を中心として回動するとともに、外体１０１がＸ軸を中心として回動する。
【００４９】
スティック６１の下端には、原点復帰バネ１０６が結合されているため、スティック６１への回動操作を中止すると、この原点復帰バネ１０６の付勢力に従って、スティック６１は原点（垂直位置）に復帰する。
【００５０】
スティック６１をＸ軸を中心として回動すると、シャフト６２がＸ軸を中心として回動するため、可変抵抗器６４の抵抗値が変化する。従って、この可変抵抗器６４の抵抗値から、スティック６１のＸ軸を中心とする回動量と回動方向を検出することができる。
【００５１】
また、スティック６１をＹ軸を中心として回動すると、シャフト６３がＹ軸を中心として回動するため、可変抵抗器６５の抵抗値が変化する。従って、この可変抵抗器６５の抵抗値から、スティック６１のＹ軸を中心とする回動量と回動方向を検出することができる。
【００５２】
このようにして、図５において、矢印ａで示す８つの方向のうちのいずれか１つの方向への操作（水平方向への操作）が検出される。
【００５３】
スティック６１を、図５において矢印ｂに沿って、下方向に垂直に押圧すると、内体１１１は、底板１１４の孔１１４Ａにスティック６１が挿通されているため、特に変化はしないが、外体１０１は、スティック６１に植設したピン１０５が孔１０４を介してガイド板１０３に挿通されているため、スティック６１と一体的に下方向に押圧される。このときの外体１０１の下方向への移動は、シャフト６２が挿通されているボックス１１６の孔１１８が垂直方向に長い孔とされているため、この孔１１８によりガイドされる。シャフト６２が所定の位置まで下降したとき、シャフト６２の一部がスイッチ６６を押圧する。これにより、スイッチ６６がオンまたはオフし、スティック６１の下方向への押圧操作が検知される。そして、スティック６１に対する下方への押圧操作を中止すると、スイッチ６６に内蔵された図示せぬ復帰バネの付勢力に従って、スティック６１は上方の原点位置に復帰する。
【００５４】
図１０は、リモートコマンダ５の内部の回路の構成例を表している。マイクロコンピュータ（マイコン）７１は、プログラムを記憶するＲＯＭ７３と、ＲＯＭ７３に記憶されているプログラムに従って各種の処理を実行するＣＰＵ７２と、ＣＰＵ７２が各種の処理を実行する上において必要なデータなどを適宜記憶するＲＡＭ７４とを有している。このマイコン７１には、ボタンスイッチマトリックス８２が接続されており、図４に示したボタンスイッチ５０のいずれのボタンスイッチが操作されたのかを検出することができるようになされている。
【００５５】
Ａ／Ｄ変換器７７は、可変抵抗器６４の抵抗値（スティック６１のＸ軸を中心とする回動に対応する）をＡ／Ｄ変換し、マイコン７１に出力するようになされている。また、Ａ／Ｄ変換器７８は、可変抵抗器６５の抵抗値（スティック６１のＹ軸を中心とする回動に対応する）をＡ／Ｄ変換し、マイコン７１に出力するようになされている。さらに、スイッチ６６のオンまたはオフの信号（スティック６１の垂直方向への操作に対応する）が、マイコン７１に供給されるようになされている。
【００５６】
また、マイコン７１は、ＬＥＤドライバ７５を介して、ＩＲ発信部５１のＬＥＤ７６を駆動し、赤外線信号を発生させるようになされている。
【００５７】
図１１は、ＶＣＲ７の内部の構成例を示している。ビデオ／オーディオ信号処理回路９６は、スイッチ９４の接点ｂを介して入力されるチューナ９３の出力を処理し、記録再生ブロック９７に出力し、ヘッドアンプ９８を介して、内蔵する磁気テープに記録させるようになされている。また、入力端子（ＬＩＮＥ  ＩＮ）９１には、ＡＶライン１１を介して所定のビデオ信号とオーディオ信号が入力され、スイッチ９４の接点ａを介して、ビデオ／オーディオ信号処理回路９６に入力されるようになされている。従って、マイコン９９により制御され、スイッチ９４が接点ａ側に切り換えられている場合においては、ＡＶライン１１を介して入力される信号が、記録再生ブロック９７に供給され、内蔵する磁気テープに記録されるようになされている。
【００５８】
また、マイコン９９が再生モードを設定した場合においては、記録再生ブロック９７が内蔵する磁気テープを再生し、その再生信号を、ヘッドアンプ９８を介してビデオ／オーディオ信号処理回路９６に出力する。ビデオ／オーディオ信号処理回路９６は、この入力された信号を、スイッチ９５の接点ａを介して出力端子（ＬＩＮＥ  ＯＵＴ）９２に出力する。この出力端子９２には、ＡＶライン１１が接続されているため、このＡＶライン１１を介して、ビデオ信号とオーディオ信号がモニタ装置４に供給される。
【００５９】
また、スイッチ９５がマイコン９９により制御され、接点ｂ側に切り換えられている場合においては、スイッチ９４が出力するビデオ信号およびオーディオ信号が、出力端子９２からＡＶライン１１に出力されることになる。
【００６０】
マイコン９９には、操作パネル１００に設けられている操作ボタンスイッチ（図示せず）を操作することにより、各種の指令を入力することができる。また、図示せぬ専用のリモートコマンダを操作すると、そのリモートコマンダから赤外線信号が出力される。この赤外線信号がＩＲ受信部１０１により受信され、スイッチ１０２の接点ａを介してマイコン９９に供給される。
【００６１】
また、ＡＶ機器制御信号送受信部７Ａは、ワイヤードＳＩＲＣＳ受信部１０３と、ワイヤードＳＩＲＣＳ送信部１０４とを有している。このワイヤードＳＩＲＣＳ受信部１０３とワイヤードＳＩＲＣＳ送信部１０４には、コントロールライン１２が接続される。ワイヤードＳＩＲＣＳ受信部１０３にコントロールライン１２を接続すると、この接続が、内蔵するスイッチ（図示せず）により検出され、その検出出力により、スイッチ１０２が接点ｂ側に自動的に切り換えられる。その結果、この場合、ＩＲ受信部１０１の出力は、マイコン９９に伝達されず、ワイヤードＳＩＲＣＳ受信部１０３の出力のみがマイコン９９に伝達されるようになる。また、このワイヤードＳＩＲＣＳ受信部１０３に入力された信号は、スイッチ１０２を介して、ワイヤードＳＩＲＣＳ送信部１０４に伝達され、さらにコントロールライン１２を介して他のＡＶ機器に伝送される。
【００６２】
尚、ワイヤードＳＩＲＣＳ受信部１０３に信号検出回路を設け、この検出回路が信号を検出したときのみ、スイッチ１０２を接点ｂ側に切り換えるようにし、この検出回路が信号を検出しないとき、スイッチ１０２を接点ａ側に切り換えるように制御することにより、コントロールライン１２を介して入力される制御信号だけでなく、ＩＲ受信部１０１が検出、出力する制御信号によっても、マイコン９９を制御することができるようにすることも可能である。
【００６３】
次に、その動作について説明する。リモートコマンダ５のメニューボタンスイッチ５３を操作すると、その操作がボタンスイッチマトリックス８２を介してＣＰＵ７２に検知される。ＣＰＵ７２は、ＬＥＤドライバ７５を介してＬＥＤ７６を制御し、この検知信号に対応する赤外線信号をＩＲ発信部５１よりＩＲＤ２に出力する。ＩＲＤ２のＣＰＵ２９はＩＲ受信部３９を介してこの信号の入力を受けたとき、ＭＰＥＧビデオデコーダ２５を制御し、メニュー画面に対応するデータを発生させる。このデータは、ＮＴＳＣエンコーダ２７を介してモニタ装置４に供給され、モニタ装置４に、例えば図１２に示すようなメニュー画面が表示される。
【００６４】
この実施例においては、番号１乃至番号９で示す９つのボタンアイコンを有する操作パレットが表示される。このとき、９つのボタンアイコンのうち、所定のものがカーソルとしてハイライト表示される。リモートコマンダ５の操作子５２で、上下左右方向の操作をすることで、このハイライト表示されたカーソルは、その操作に対応する方向に移動させることができる。そして、選択を希望する所定のボタンアイコンをハイライト表示させた状態において、リモートコマンダ５の操作子５２をエンター操作すると、ＣＰＵ２９はそのボタンアイコンに割り当てられた処理を実行する。
【００６５】
例えば、ゼネラルガイドのボタンアイコンを選択すると、ＣＰＵ２９はＭＰＥＧビデオデコーダ２５を制御し、モニタ装置４にゼネラルガイドの画面（放送チャンネル選択の画面）を表示させる。使用者は、この画面上において、所定の番組を選択指定することができる。
【００６６】
ＣＰＵ２９は、所定の番組の受信が指令されたとき、チューナ２１を制御し、その放送チャンネルを受信させる。チューナ２１の出力は、ＱＰＳＫ復調回路２２に供給され、ＱＰＳＫ復調された後、エラー訂正回路２３に供給され、エラー訂正処理が行なわれる。
【００６７】
デマルチプレクサ２４は、エラー訂正回路２３より供給された暗号化されている信号を、カードリーダインタフェース３２より読み出されたキーを参照して解読する。そして、解読されたビデオ信号を、ＭＰＥＧビデオデコーダ２５に出力し、オーディオ信号を、ＭＰＥＧオーディオデコーダ２６に出力する。
【００６８】
ＭＰＥＧビデオデコーダ２５は、入力された、ＭＰＥＧ方式でエンコードされているデジタルビデオ信号をデコードし、ＮＴＳＣエンコーダ２７に出力する。ＮＴＳＣエンコーダ２７は、入力されたビデオ信号を、ＮＴＳＣ方式のビデオ信号に変換し、Ｓビデオ信号またはコンポジットビデオ信号として、モニタ装置４に出力させる。
【００６９】
同様に、ＭＰＥＧオーディオデコーダ２６に入力された、ＭＰＥＧ方式でエンコードされているデジタルオーディオ信号は、デコードされた後、Ｄ／Ａ変換器３０により、Ｄ／Ａ変換され、モニタ装置４に出力される。
【００７０】
このような視聴動作が行われているとき、ＣＰＵ２９は、図１３のフローチャートに示すようなフェイバリッドガイドリスト作成処理を実行する。
【００７１】
すなわち、最初に、ステップＳ１において、チューナ２１が所定の番組を受信しているか否かを判定し、受信していなければ、受信するまで待機し、所定の番組を受信したとき、ステップＳ２に進み、受信したチャンネルとその時刻のデータを取り込む。受信チャンネルのデータは、チューナ２１の出力から取り込むことができ、時刻データはカレンダタイマ３５から取り込むことができる。
【００７２】
次に、ステップＳ３に進み、最新の過去４週間分のフェイバリッドガイドリストを作成し、そのフェイバリッドガイドリストをＥＥＰＲＯＭ３８に記憶させる。
【００７３】
このフェイバリッドガイドリストは、例えば各曜日と時刻とをパラメータとし、使用者が、各曜日において、どのような番組を見ていたかを表すリストとなっている。
【００７４】
図１４は、このフェイバリッドガイドリストの例を表している。この例においては、縦軸に曜日が、そして、横軸に時刻が、３０分単位で設定されている。そして、各曜日の所定の時刻からの３０分の間に、過去４週間の間に視聴していた放送チャンネルのチャンネル番号が登録されている。この放送チャンネルの番号は、頻度の高いものから順番に登録されている。例えば、日曜日（ＳＵＮ）の０時００分から０時３０分までの３０分間においては、第４チャンネル、第１０チャンネル、第８チャンネル、第２０チャンネルの順に、放送チャンネルが最も良く受信されている。
【００７５】
このデータは、各曜日毎に最新の対応する曜日のデータに更新される。
【００７６】
なお、このフェイバリッドガイドリストを作成するにあたって、僅かな時間（例えば、数秒間）だけ受信されたチャンネルもすべてこれを受信チャンネルとしてカウントすることも理論的には可能である。しかしながら、受信時間があまりにも短い場合にも、その放送チャンネルを受信履歴に登録するようにすると、他の放送チャンネルを選択するために、放送チャンネルを切り替えているような場合においても、その途中の放送チャンネルが受信されたものとして登録されてしまう。そこで、例えば５分間以上など、あらかじめ設定した所定の時間以上継続して受信された放送チャンネルだけを受信チャンネルとして登録するようにすることが好ましい。
【００７７】
次に、使用者が、図１２に示すメニューをモニタ装置４に表示させた状態において、番号８で示すフェイバリッドガイド（ＦＡＶＯＲＩＴＥ  ＧＵＩＤＥ）のボタンアイコンを選択した場合における処理を、図１５乃至図１８のフローチャートを参照して説明する。
【００７８】
この処理を開始するとき、最初に、ステップＳ１１において、使用者が図１２に示すフェイバリッドガイドのボタンアイコンを選択する。上述したように、この選択は、操作子５２を上下左右方向に操作して、ハイライトされているカーソルを、番号８で表されるフェイバリッドガイドのボタンアイコン上に移動させた後、エンター操作をすることで、行われる。
【００７９】
ＣＰＵ２９は、フェイバリッドガイドのボタンアイコンの操作が指令されたとき、ステップＳ１２に進み、例えば図１９に示すようなフェイバリッドガイド画面をモニタ装置４に表示させる。この表示もＣＰＵ２９がＭＰＥＧビデオデコーダ２５を制御することで行われる。
【００８０】
図１９に示すように、この実施例においては、画面の左側の側端部の近傍に垂直方向に、上から下に順番に、曜日が表示される。一番下にその日（現在）の曜日（この実施例においては金曜日（ＦＲＩ））が表示される。その結果、この実施例においては、一番上に土曜日（ＳＡＴ）が表示され、以下順に、日（ＳＵＮ）、月（ＭＯＮ）、火（ＴＵＥ）、水（ＷＥＤ）、木（ＴＨＵ）、金（ＦＲＩ）の各曜日が順に表示される。
【００８１】
また、この実施例においては、画面の下側端部の近傍に、横方向に水平に、左から右に、時間軸（時刻）が表示される。この実施例においては、７時から９時３０分までの時間軸が表示されている。そして、この時間軸に沿って、ＥＥＰＲＯＭ３８に記憶されているフェイバリッドガイドリストの受信時刻に対応する番組が表示される。この実施例においては、最近の過去４週間のうち、使用者が最も頻繁に見ていた番組がその放送局名（その略称を含む）で表示されている。
【００８２】
この実施例の場合、金曜日の７時から７時３０分までの間は、ＣＢＳの放送を最も多く受信しており、また、７時３０分から８時３０分までの時間は、ＣＮＮの放送を最も多く受信しており、さらに、８時３０分から９時３０分までは、ＮＢＣの放送を最も多く受信していたことになる。
【００８３】
時間軸の最初の時刻は、現在時刻より前の時刻であって、現在時刻において放送されている番組の放送開始時刻とされる。換言すれば、図１９の実施例においては、現在時刻は７時から７時３０分までの間の時刻となる。
【００８４】
この実施例においては、カーソルＡは、曜日の軸と時間軸の交点、すなわち、左下の角に当初表示される。すなわち、左下の角が、デフォルトの表示位置とされる。
【００８５】
また、この実施例においては、垂直な曜日の軸の上端と下端には、それぞれ上向きと下向きの三角形の図形が表示され、操作子５２をアップ操作またはダウン操作することで、曜日を変更することができることが示唆されている。同様に、時間軸の左端と右端には、左を向いた三角形と右を向いた三角形が配置され、操作子５２をレフト操作またはライト操作することで、時間軸を変更することができることが示唆されている。
【００８６】
このように、曜日の軸と時間軸は、それぞれ画面の左端と下端の近傍に、略Ｌ字状に表示されるため、そのときモニタ装置４に表示されているチューナ２１の受信画像が、これらの曜日や時間軸によって隠されてしまい、見にくくなるようなことが最小限に抑制されるようになされている。
【００８７】
次に、ステップＳ１３乃至Ｓ１６において、操作子５２のダウン操作、アップ操作、若しくはエンター操作、またはエスケープボタンスイッチ５４のエスケープ操作のいずれかがなされたか否かが順次判定される。ステップＳ１３において、ダウン操作がなされたと判定された場合、ステップＳ１７に進み、カーソルＡに対して曜日を相対的に上に移動させる処理が実行される。
【００８８】
すなわち、ＣＰＵ２９は、ＭＰＥＧビデオデコーダ２５を制御し、モニタ装置４のＣＲＴ４Ａに、図２０に示すような画像を表示させる。図２０の画面においては、図１９の画面と比較して明らかなように、カーソルＡは実際には移動されず、カーソルＡ内における曜日が金曜日（ＦＲＩ）から土曜日（ＳＡＴ）に変更されている。すなわち、曜日を１段だけ上方向にスクロールした状態となされている。
【００８９】
これに対して、ステップＳ１４において、アップ操作がなされたと判定された場合においては、ステップＳ１８において、曜日を下方向に移動させる処理が実行される。すなわち、ＣＰＵ２９はＭＰＥＧビデオデコーダ２５を制御し、ＣＲＴ４Ａに、図２１に示すような画面を表示させる。図１９の画面と図２１の画面を比較して明らかなように、図２１の画面においては、カーソルＡの中に木曜日（ＴＨＵ）が表示され、図１９に示す画面において、曜日を１段分だけ下にスクロールした状態となされている。
【００９０】
ステップＳ１７，Ｓ１８の処理の後、ステップＳ１３に戻る。
【００９１】
さらに、ステップＳ１６でエスケープ操作がなされたか否かが判定され、エスケープ操作がなされていないと判定された場合においては、ステップＳ１３に戻り、それ以降の処理が繰り返し実行される。
【００９２】
すなわち、これにより、アップ操作またはダウン操作を所定回数だけ行うことにより、カーソルＡ内に所定の曜日を表示させるようにすることができる。
【００９３】
なお、以上においては、カーソルＡの位置を固定し、曜日を上下に相対的にスクロールするようにしたが、図１９に示す状態において、アップ操作がなされたとき、例えば図２２に示すように、カーソルＡ自体を上方向に移動させ、このとき番組表示部も一緒に上方に移動、表示させるようにすることができる。しかしながら、このようにすると、カーソルＡを上方向に移動させるにしたがって、画面の中央部が番組名によって隠されてしまい、本来の画像が見にくくなってしまう。そこで、図１９乃至図２１に示したように、カーソルＡを固定し、曜日自体を上下にスクロールするようにすることが好ましい。
【００９４】
カーソルＡが曜日軸上に位置する状態において、エスケープボタンスイッチ５４がオンされると、ステップＳ１６でこれが検出され、フェイバリッドガイド処理が終了される。
【００９５】
一方、ステップＳ１５において、エンター操作がなされたと判定された場合においては、ステップＳ１９に進み、図２３に示すように、カーソルＡを曜日の軸から時間軸上（番組上）に移動させる。そして、ステップＳ２０乃至Ｓ２５において、ライト操作、レフト操作、アップ操作、ダウン操作、エンター操作またはエスケープ操作がなされたか否かが判定される。
【００９６】
ステップＳ２０において、図２３に示す状態で、ライト操作がなされたと判定された場合においては、ステップＳ２６に進み、図２４に示すように、カーソルＡを右方向に移動させる処理が実行される。この処理もＣＰＵ２９がＭＰＥＧビデオデコーダ２５を制御することにより実行される。
【００９７】
なお、カーソルＡはその大きさが固定されておらず、時間軸上における番組の大きさに対応する大きさとされる。
【００９８】
これに対して、ステップＳ２１において、図２３に示す状態で、レフト操作がなされたと判定された場合においては、ステップＳ２７に進み、図２５に示すように、カーソルＡが左方向に移動される。
【００９９】
ただし、図２３に示す状態において、カーソルＡをさらに左側に移動させると、カーソルＡが曜日軸上に戻ってしまう。そこで、このように、カーソルＡが端部（今の場合、左側の端部）に位置している場合において、さらに左方向に移動するように指令された場合においては、図２５に示すように、時間軸がさらに前の時刻に移動される。図２５の実施例においては、７時より前の６時から７時までの時間帯が表示されている。そして、この時間帯においては、ＵＳＡの放送を最も多く受信していたため、この時間軸上には、ＵＳＡの名称が表示されている。
【０１００】
同様に、例えば図２３に示す状態において、ライト操作を２回実行し、カーソルＡを図２６に示すように、右端まで移動させた状態において、さらにカーソルＡを右方向に移動させるようにライト操作すると、例えば図２７に示すように、それまで表示されていた時間帯より、さらに先の時間帯が表示されるようになる。
【０１０１】
したがって、操作子５２で、レフト操作またはライト操作を適宜繰り返すことにより、所定の時間帯の時間軸を画面上に表示させることができる。
【０１０２】
ステップＳ２２において、操作子５２がアップ操作されたと判定された場合においては、ステップＳ２８に進み、そのとき、カーソルＡが位置する時間帯において、より頻度の多い番組を表示する処理が実行される。
【０１０３】
例えば、図２４に示す状態において、アップ操作が行われると、カーソルＡが位置する時間帯の番組が、今、表示されている番組（図２４の場合、ＣＮＮ）より頻度の高い番組が、図２８に示すように表示される。図２８の実施例においては、ＴＢＳの放送チャンネルが表示されている。即ち、この７時３０分から８時３０分の時間帯においては、ＣＮＮよりＴＢＳをより高い頻度で視聴していたことになる。
【０１０４】
同様に、ステップＳ２３において、操作子５２がダウン操作されたと判定された場合においては、ステップＳ２９に進み、より頻度の少ない番組が表示される。
【０１０５】
例えば、図２４に示す状態において、ダウン操作が行われた場合、カーソルＡが位置する７時３０分から８時３０分の時間帯における放送チャンネルが、より低い頻度で受信していた放送チャンネルに図２９で示すように変更される。図２９の例においては、ＣＮＮに代えてＡＢＣが表示されている。即ち、この例においては、ＣＮＮの次にＡＢＣを多く受信していたことになる。
【０１０６】
ステップＳ２５において、エスケープ操作がなされたと判定された場合においては、ステップＳ３０に進み、カーソルＡを曜日軸上に移動させる処理が実行される。例えば図２３あるいは図２４に示す状態において、エスケープボタンスイッチ５４がオンされると、カーソルＡが曜日軸上に移動され、図１９に示すような状態に戻る。そして、ステップＳ１３に戻り、それ以降の処理が繰り返し実行される。
【０１０７】
すなわち、このようにエスケープボタンスイッチ５４を操作することにより、カーソルＡを曜日軸に戻し、誤った操作を初めからやり直したり、異なる曜日を新たに設定することが可能となる。
【０１０８】
一方、ステップＳ２４において、エンター操作がなされたと判定された場合においては、ステップＳ３１に進み、カーソルＡがその時位置する時間軸上の番組がＳＲＡＭ３６に一旦記憶される。そして、その番組がハイライト表示される。例えば図２４に示すように、ＣＮＮの番組上にカーソルＡが位置する状態において、操作子５２をエンター操作すると、図３０に示すように、名称ＣＮＮがより明るい輝度でハイライト表示される。
【０１０９】
さらに、ステップＳ３２に進み、録画機器（このＡＶシステム１に接続されているＡＶ機器のうち、録画が可能な機器）のリストが、図３０に示すように表示される。図３０の実施例においては、録画機器の候補として、ＷＡＴＣＨ、ＭＤ（ミニディスク装置９）、ＶＨＳ（ＶＣＲ６）、８ｍｍ（ＶＣＲ７）の４種類が表示されている。そして、このリストが初めて表示される状態になったとき、このリストから所定の録画機器を選択するためのカーソルＢは、ＷＡＴＣＨ上に位置するようになされる。すなわち、カーソルＢのデフォルトの表示位置は、ＷＡＴＣＨ上とされる。
【０１１０】
次に、ステップＳ３３乃至Ｓ３６において、アップ操作、ダウン操作、エンター操作、またはエスケープ操作がなされたか否かが判定され、いずれの操作もなされていないと判定された場合においては、ステップＳ３３に戻り、それ以降の処理が繰り返し実行される。
【０１１１】
なお、図１５のステップＳ１３乃至Ｓ１６の処理においては、レフト操作またはライト操作がなされたか否かは判定されない。すなわち、これらの操作がなされたとしても、その操作は無視される。これにより、最初に曜日を選択し、エンター操作を行って曜日を確定した後、番組が選択されることになる。
【０１１２】
同様に、図１７のステップＳ３３乃至Ｓ３６においては、レフト操作またはライト操作がなされたか否かは判定されない。換言すれば、これらの操作がなされたとしても、その操作は無視される。これは図３０に示すように、録画機器のリストは１列に表示され、録画機器を選択するのに、カーソルＢを左右方向に移動させる必要がないからである。
【０１１３】
ステップＳ３３において、アップ操作が行われたと判定された場合においては、ステップＳ３７に進み、カーソルＢを上方向に動作する処理が実行され、ステップＳ３４において、ダウン操作が行われたと判定された場合においては、ステップＳ３８に進み、カーソルＢを下方向に移動させる処理が実行される。
【０１１４】
例えば図３０に示す状態において、アップ操作が行われた場合においては、カーソルＢが、図３１に示すように、最も下側の８ｍｍの上に移動表示される。勿論、この場合において、リストの候補が４つ以上存在する場合においては、カーソルＢを実質的に停止させ、リストの候補を下方向にスクロールするようにすることも可能である。
【０１１５】
また、図３０に示す状態において、ダウン操作を３回行えば、やはりカーソルＢが３段分だけ下方向に移動するので、図３１に示すような状態となる。
【０１１６】
ステップＳ３６において、エスケープボタンスイッチ５４がオンされたと判定された場合においては、ステップＳ３０に戻り、カーソルＡを曜日軸上に移動させ、さらに、ステップＳ１３に戻り、それ以降の処理を繰り返し実行する。すなわち、この場合においては、全ての処理を曜日の選択処理からやり直すことになる。
【０１１７】
一方、ステップＳ３５において、エンター操作が行われたと判定された場合においては、ステップＳ３９に進み、カーソルＢが位置する録画機器がＳＲＡＭ３６に記憶され、その機器がハイライト表示される。例えば図３１に示すように、カーソルＢが８ｍｍ上に位置する状態において、エンター操作が行われると、８ｍｍ（ＶＣＲ７）が録画機器として記憶されるとともに、ハイライト表示される。
【０１１８】
次に、ステップＳ４０に進み、記憶された録画機器がＷＡＴＣＨであるか否かが判定される。録画機器がＷＡＴＣＨでない場合、すなわち、８ｍｍ（ＶＣＲ７）、ＶＨＳ（ＶＣＲ６）、ＭＤ（ミニディスク装置９）のいずれかである場合、ステップＳ４１に進み、記憶した番組の放送が既に開始されているか否かを判定する。
【０１１９】
例えば図３１に示す状態においては、７時３０分から８時３０分まで、ＣＮＮの放送を受信することが記憶されたのであるが、この場合において、カレンダタイマ３５より読み取った現在時刻が、既に７時３０分を過ぎており、かつ、８時３０分より前の時刻であれば、ステップＳ４２に進み、記憶した番組を記憶した録画機器で録画する処理を直ちに開始させる。すなわち、ＣＮＮで放送されている番組を現在時刻から８時３０分まで８ｍｍ（ＶＣＲ７）で記録する処理を実行する。
【０１２０】
すなわち、ＣＰＵ２９はチューナ２１を制御し、ＣＮＮを受信させるとともに、その復調出力を、ＡＶライン１１を介して、ＶＣＲ６とモニタ装置４を経由して、８ｍｍ方式のＶＣＲ７に供給させる。また、同時に、ＣＰＵ２９はコントロールライン１２を介して、ＶＣＲ７に録画の開始のリクエスト信号を出力する。ＶＣＲ７のマイコン９９はこのリクエスト信号の供給を受けたとき、記録再生ブロック９７を制御し、録画動作を開始させる。これにより、選択指定したＣＮＮの番組を記録することができる。
【０１２１】
一方、ステップＳ４１において、番組の放送がまだ開始されていないと判定された場合においては、ステップＳ４３に進み、記憶した番組を記憶した録画機器に録画するための予約処理を実行する。すなわち、ＣＰＵ２９は、７時３０分の時刻になった時、ＣＮＮの番組を受信し、８時３０分まで受信し、これを８ｍｍ方式のＶＣＲ７に記録させるように、ＳＲＡＭ３６の予約録画リスト中に登録する。ＣＰＵ２９はカレンダタイマ３５がこの録画予約リストに登録した時刻に達したことを検出したとき、その予約録画処理を開始させる。
【０１２２】
一方、ステップＳ４０において、録画機器のリストの録画機器の候補として、ＷＡＴＣＨが指定されたと判定された場合においては、ステップＳ４４に進み、ステップＳ３１でカーソルＡを用いて指定した番組の放送が既に開始され、まだ終了していないか否かを判定し、既に開始され、まだ終了していないと判定された場合においては、ステップＳ４５に進み、その番組を直ちに受信させる。すなわち、ＣＰＵ２９はチューナ２１を制御し、指定した番組を受信させ、モニタ装置４に表示させる。
【０１２３】
これに対して、ステップＳ４４において、指定した番組の放送がまだ開始されていないと判定された場合においては、ステップＳ４６に進み、その番組をＳＲＡＭ３６に予約登録する。
【０１２４】
この場合、その後、ＣＰＵ２９は、カレンダタイマ３５の出力する時刻がＳＲＡＭ３６に登録した時刻に達したことを検出したとき、チューナ２１にその予約リストに登録された番組を受信させ、モニタ装置４に出力し、表示させる。
【０１２５】
この実施例においては、エンター操作して所定の番組を選択したとき、図３０に示すように、録画機器のリストが表示されるが、そのときデフォルトの表示位置として、カーソルＢはＷＡＴＣＨを指定する位置に配置されている。したがって、録画するのではなく、単に見るだけの場合は、番組を確定するためにエンター操作を１回行った後、続いてさらにもう１回エンター操作をすれば、カーソルＢはＷＡＴＣＨ上に位置するため、予約を迅速に完了することができる。
【０１２６】
なお、以上の実施例においては、７つの曜日を全て表示するようにしたが、例えば図３２に示すように、選択している曜日を１つだけ表示するようにすることも可能である。このようにすれば、本来の表示画像が隠される範囲をさらに小さくすることが可能となる。
【０１２７】
ただし、この場合においても、図示はされていないが、曜日は垂直方向に存在するものとされ、アップ操作またはダウン操作を行うことで、カーソルＡ内の曜日を所定の曜日に変更することができる。
【０１２８】
また、以上の実施例においては、番組を特定するのに、その番組を放送している放送局の名称（略称を含む）で表示するようにしたが、例えば図３３に示すように、番組の名称で表示するようにすることもできる。
【０１２９】
図３４は、リモートコマンダ５の他の構成例を表している。この実施例においては、図４における操作子５２に代えて、アップボタンスイッチ１６１、ダウンボタンスイッチ１６２、レフトボタンスイッチ１６３、及びライトボタンスイッチ１６４よりなる方向ボタンスイッチ１６０が設けられている。これらのボタンスイッチのいずれかを操作することで、上下左右のいずれかの方向の操作を行うことができる。また、エンター（ＥＮＴＥＲ）ボタンスイッチ１６５が設けられており、エンター操作を行うとき、操作されるようになされている。
【０１３０】
リモートコマンダ５を図３４に示すように構成する場合、その内部は、図３５に示すように構成される。この図３５を、図１０と比較して明らかなように、この実施例においては、図１０における可変抵抗器６４，６５、スイッチ６６、Ａ／Ｄ変換器７７，７８が省略された構成とされている。即ち、この実施例においては、方向ボタンスイッチ１６０とエンターボタンスイッチ１６５が、他のボタンスイッチと同様に、ボタンスイッチマトリックス８２によりその操作が検出される。
【０１３１】
以上、本発明を衛星放送を受信し、デコードするＩＲＤ２に応用した場合を例として説明したが、本発明はテレビジョン受像機、あるいはＶＴＲなどにおいても適用することが可能である。
【０１３２】
【発明の効果】
以上の如く、本発明によれば、過去の受信履歴を記憶し、その受信履歴に対応する番組を時間軸に沿って表示するようにしたので、比較的よく見る番組の中から所望の番組を、迅速かつ確実に選択、指定することが可能となる。
【図面の簡単な説明】
【図１】本発明の番組選択システムを応用したＡＶシステムの構成例を示す斜視図である。
【図２】図１のＡＶシステムの電気的接続状態を示すブロック図である。
【図３】図１のＩＲＤ２の内部の構成例を示すブロック図である。
【図４】図１のリモートコマンダ５の上面の構成を示す平面図である。
【図５】図４の操作子５２の操作を検出する小型スティックコントローラの構成例を示す斜視図である。
【図６】図５の実施例の内部の構成を示す斜視図である。
【図７】図６の実施例の構成を示す正面図である。
【図８】図６の実施例の構成を示す右側面図である。
【図９】図６の実施例の構成を示す平面図である。
【図１０】図４のリモートコマンダ５の内部の構成例を示すブロック図である。
【図１１】図１のＶＣＲ７の構成例を示すブロック図である。
【図１２】メニュー画面の表示例を示す図である。
【図１３】図３のＣＰＵ２９の行うフェイバリッドガイドリスト作成処理を示すフローチャートである。
【図１４】フェイバリッドガイドリストの内容を示す図である。
【図１５】図３のＩＲＤ２が行うフェイバリッドガイドの処理を説明するフローチャートである。
【図１６】図１５に続くフローチャートである。
【図１７】図１６に続くフローチャートである。
【図１８】図１７に続くフローチャートである。
【図１９】図１５乃至図１８のフローチャートに示す処理を説明する表示画面の例を示す図である。
【図２０】図１５乃至図１８のフローチャートに示す処理を説明する表示画面の例を示す図である。
【図２１】図１５乃至図１８のフローチャートに示す処理を説明する表示画面の例を示す図である。
【図２２】図１５乃至図１８のフローチャートに示す処理を説明する表示画面の例を示す図である。
【図２３】図１５乃至図１８のフローチャートに示す処理を説明する表示画面の例を示す図である。
【図２４】図１５乃至図１８のフローチャートに示す処理を説明する表示画面の例を示す図である。
【図２５】図１５乃至図１８のフローチャートに示す処理を説明する表示画面の例を示す図である。
【図２６】図１５乃至図１８のフローチャートに示す処理を説明する表示画面の例を示す図である。
【図２７】図１５乃至図１８のフローチャートに示す処理を説明する表示画面の例を示す図である。
【図２８】図１５乃至図１８のフローチャートに示す処理を説明する表示画面の例を示す図である。
【図２９】図１５乃至図１８のフローチャートに示す処理を説明する表示画面の例を示す図である。
【図３０】図１５乃至図１８のフローチャートに示す処理を説明する表示画面の例を示す図である。
【図３１】図１５乃至図１８のフローチャートに示す処理を説明する表示画面の例を示す図である。
【図３２】図１５乃至図１８のフローチャートに示す処理を説明する表示画面の例を示す図である。
【図３３】図１５乃至図１８のフローチャートに示す処理を説明する表示画面の例を示す図である。
【図３４】図１のリモートコマンダ５の他の構成例を示す平面図である。
【図３５】図３４のリモートコマンダ５の内部の構成を示すブロック図である。
【符号の説明】
１  ＡＶシステム
２  ＩＲＤ
３  パラボナアンテナ
４  モニタ装置
４Ａ  ＣＲＴ
５  リモートコマンダ
６  ＶＣＲ（ＶＨＳ）
７  ＶＣＲ（８ｍｍ）
８  マルチディスクプレーヤ
９  ミニディスク装置
２１  チューナ
２３  誤り訂正回路
２４  デマルチプレクサ
２５  ＭＰＥＧビデオデコーダ
２６  ＭＰＥＧオーディオデコーダ
２７  ＮＴＳＣエンコーダ
２９  ＣＰＵ
３５  カレンダタイマ
３６  ＳＲＡＭ
３８  ＥＥＰＲＯＭ
３９  ＩＲ受信部
５０  ボタンスイッチ
５２  操作子
５３  メニューボタンスイッチ
５４  エスケープボタンスイッチ
【図１】
0004190591.tif 000002
【図２】
0004190591.tif 000003
【図３】
0004190591.tif 000004
【図４】
0004190591.tif 000005
【図５】
0004190591.tif 000006
【図６】
0004190591.tif 000007
【図７】
0004190591.tif 000008
【図８】
0004190591.tif 000009
【図９】
0004190591.tif 000010
【図１０】
0004190591.tif 000011
【図１１】
0004190591.tif 000012
【図１２】
0004190591.tif 000013
【図１３】
0004190591.tif 000014
【図１４】
0004190591.tif 000015
【図１５】
0004190591.tif 000016
【図１６】
0004190591.tif 000017
【図１７】
0004190591.tif 000018
【図１８】
0004190591.tif 000019
【図１９】
0004190591.tif 000020
【図２０】
0004190591.tif 000021
【図２１】
0004190591.tif 000022
【図２２】
0004190591.tif 000023
【図２３】
0004190591.tif 000024
【図２４】
0004190591.tif 000025
【図２５】
0004190591.tif 000026
【図２６】
0004190591.tif 000027
【図２７】
0004190591.tif 000028
【図２８】
0004190591.tif 000029
【図２９】
0004190591.tif 000030
【図３０】
0004190591.tif 000031
【図３１】
0004190591.tif 000032
【図３２】
0004190591.tif 000033
【図３３】
0004190591.tif 000034
【図３４】
0004190591.tif 000035
【図３５】
0004190591.tif 000036